(57)【要約】【課題】一枚の金属板から形成したドアであって、存在感や重厚感を有しながらも、住宅の玄関や店舗の入り口のドアとして使用することができるように軽量化を図るとともに、デザイン性に優れ、防犯や防災に強いドアを提供する。【解決手段】本発明によって提供されるドア１は、ドア１の片面又は両面の少なくとも一部について、多角形を平面充填した形状に彫り込みをした構造であることを特徴とするドア１である。【選択図】図１
2019015133.tif 000002
【特許請求の範囲】
【請求項１】
アルミニウム合金の一枚板からなるドアであって、
前記ドアの片面又は両面の少なくとも一部について、多角形を平面充填した彫り込み部を設けてなることを特徴とするドア。
【請求項２】
文字、図形が前記彫り込み部により設けてなることを特徴とする請求項１に記載のドア。
【請求項３】
前記彫り込み部が、ハニカム構造であることを特徴とする請求項１又は２に記載のドア。
【請求項４】
前記彫り込み部の裏面は、前記彫り込み部を設けず、前記彫り込み部以外の部分の裏面は、框部分を除いて前記彫り込み部を設けることを特徴とする請求項１〜３に記載のドア。
【発明の詳細な説明】
【技術分野】
【０００１】
本発明は、一枚の金属板から形成したドアであって、軽量化を図りつつ、デザイン性、防犯や防災に優れるドアに関する。
【背景技術】
【０００２】
一本の原木から切出した板から形成し、住宅の玄関や店舗の入り口などに使用する無垢の一枚板からなる木製ドアが知られている。このような木製ドアは、存在感や重厚感に優れるが、反り、割れ（変形）などを生じる問題があった。
一方、一枚の金属板から形成したドアとしては、例えば、登録実用新案公報第３１６８６４６号（特許文献１）が知られている。このドアは、スパーマーケットなどの商業店舗において、売り場側とバックヤード側を仕切るためのドアであって、薄い金属板に多数の小穴を開け、透視性と通気性を持たせたものであり、住宅の玄関や店舗の入り口のドアとして使用するには不都合なものであった。
【先行技術文献】
【特許文献】
【０００３】
【特許文献１】登録実用新案公報第３１６８６４６号
【発明の概要】
【発明が解決しようとする課題】
【０００４】
そこで、本発明の課題は、無垢の一枚板からなる木製ドアのような反り、割れ（変形）などを生じない一枚の金属板から形成したドアであって、存在感や重厚感を有しながらも、住宅の玄関や店舗の入り口のドアとして使用することができるように軽量化を図るとともに、デザイン性に優れ、防犯や防災に強いドアを提供することにある。
【０００５】
本発明者は、上記課題を解決するために鋭意検討を重ねた結果、本発明を完成するに至った。
【０００６】
（１）  アルミニウム合金の一枚板からなるドアであって、
ドアの片面又は両面の少なくとも一部について、多角形を平面充填し
た彫り込み部を設けてなることを特徴とするドア。
（２）  文字、図形が彫り込み部により設けてなることを特徴とする（１）に記載
のドア。
（３）  彫り込み部が、ハニカム構造であることを特徴とする（１）又は（２）に記
載のドア。
（４）  彫り込み部の裏面は、彫り込み部を設けず、彫り込み部以外の部分の
裏面は、框部分を除いて彫り込み部を設けることを特徴とする（１）〜
（３）に記載のドア。
【発明の効果】
【０００７】
本発明によれば、住宅の玄関や店舗の入り口のドアとして使用することができるサイズの一枚の金属板から形成したドアでありながら、軽量化を図りつつデザイン性に優れ、更に、存在感、重厚感を有し、防犯性、防災性に優れたドアとすることができる。
【図面の簡単な説明】
【０００８】
【図１】本発明の実施形態１のドアの正面図である。
【図２】（１）は、図１に示すドアのA-A断面図であり、（２）は、図1示すドアのB-B断面図である。
【図３】本発明の実施形態２を示すものであり、(1)は、文字を多角形を平面充填した形状で彫り込みをした構造で表した例を示す図、（２）は、別の例を示す図、（３）は、更に別の例を示す図である。
【図４】本発明の実施形態３を示すものであり、（１）は、ドアの正面図、（２）は、ドアの背面図の例を示す図である。
【発明を実施するための形態】
【０００９】
[実施形態１]
図１、２は、本発明に係るドア１の実施形態１を示す。実施形態１に係るドア１は、図１に示すように、ドア１の外周に形成している框７と、ドア１の一端から概略半円状に形成した装飾部３（「装飾部」とは、ドア１の表面を薄く削って文字や図形等を表した部位をいい、文字、図形等を何ら施さない部位をも含むものをいう。）と、框７と装飾部３の間に形成した平面充填部２（「平面充填部」とは、ドア１の軽量化を図るために、多角形を平面充填した形状に彫り込みをした構造をもつ部位をいう。）と、を備える。なお、平面充填とは、平面内を有限種類の平面図形で隙間なく敷き詰める操作をいう。
【００１０】
本発明に係るドア１の実施形態１の平面充填部２は、例えば、図１に示すように、同一形状の六角形を平面充填した形状に彫り込みをした構造（以下、「ハニカム構造」という。）であるが、装飾部３や框７との境界では、六角形の一部が欠けた形状となっている。平面充填部２は、ハニカム構造に限らず、同一形状の三角形、四角形を平面充填した形状に彫り込みをした構造であってもよい。更に、大きさの異なる様々な多角形を組合せて平面充填した形状に彫り込みをした構造であってもよい。
【００１１】
本発明に係るドア１の実施形態１の装飾部３は、例えば、図１に示すように、複数の年輪３１を有する概略半円状の切株９の図形と「克」の文字３２とを備えたものである。実施形態１の装飾部２は、このような図形、文字に限られるものではなく、様々な図形例えば、人の似顔絵や動物の絵などでもよいし、文字も氏名や屋号、メッセージなど様々なものを表すことができる。なお、実施形態１の装飾部２は、必須の要素ではなく設けなくともよい。この場合、ドア１は、平面充填部３のみ、或いは平面充填部３と框７から形成する。
【００１２】
本発明に係るドア１の実施形態１の框７は、例えば、図1に示すように、ドア１の外周に形成しており、装飾部２と重なる位置では形成していないが、形成していてもよい。なお、実施例１の框７は、必須の要素ではなく設けなくともよい。この場合、ドア１は、平面充填部３のみ、或いは平面充填部３と装飾部２から形成する。
【００１３】
本発明に係るドア１の実施形態１のA-A断面図は、図２（１）に示すように、左端には框７を設置し、框７が最も厚みのあるように形成している。框７から所定長下端には、ハニカム構造を形成する六角形の外形をなす隔壁６を設置し、隔壁６から更に所定長下端には、六角形の隔壁６によって囲まれた底面５を設置し、底面５の右端から鉛直方向に延びる隔壁６を設置している。以後、隔壁６と底面５が繰り返されて、右端の框７まで連続して形成している。
【００１４】
本発明に係るドア１の実施形態１のB-B断面図は、図２（２）に示すように、左部には装飾部３を設置し、装飾部３には切株９の図形が施されており、切株９の図形は年輪３１、３１、・・・・により表されている。この年輪３１、・・・・の図形は、ドア１の表面を平面充填部２に比べて浅く削って形成している。また、装飾部３の厚みは框７と同様である。装飾部３の右端から所定長下端には、底面５を設置し、底面５の右端から鉛直方向に延びる隔壁６を設置し、以後、底面５、隔壁６、底面５、と繰り返し、右端の框７まで連続して形成している。
【００１５】
本発明に係るドア１の実施形態１のドア１は、住宅の玄関、店舗の入り口のドア、その他博物館、美術館などのドアとしても使用することができるものであり、少なくともドアの周囲に設置する框７やドア1の外周に位置する装飾部３の厚みは、従来のドアと同様の厚みがなければ、規格に合わず設置が難しい。特に、本発明に係るドア１をスライド式の自動ドアとするような場合には、従来の駆動装置や施錠装置をドア１の框７などに設置するため、取り付けることできない。しかしながら、このような厚みを有する金属板をそのまま使用すると非常に重くなってしまい利用することができないため、ドア１に使用する金属を比較的比重の小さいアルミ合金とするが、それでもアルミ合金をそのまま利用するには重すぎてしまうので、ドア1の外周（框７）以外のアルミ合金の板厚を薄くし、軽量化する必要がある。なお、一般的なドアの厚さとしては、２５〜５５ｍｍ程度であるが、本発明に係るドア1は、これらの範囲に限られるものではなく、１０〜１００ｍｍ程度好ましくは、１０〜８０ｍｍ程度である。
【００１６】
しかし、単に板厚を薄くするのみでは、軽量化は図れても強度の低下などの問題が生じ、厚くするのみでは、大重量となるのみではなく取扱いが困難となる。そこで、本発明に係るドア１の実施形態１は、ハニカム構造あるいは多角形を平面充填した形状に彫り込みをした構造とすることにより、軽量化を図りつつ、強度があり、しかも取扱い性に優れたドア１とすることができる。しかも、本発明に係るドア１は、アルミ合金の一枚板から形成したドア１であるため、ドア１に孔をあけて鍵を開けること（いわゆるサムターン回しなど）や、バールでドア1の一部を変形させてドア1を開けるなどをすることが困難なドア１であり、防犯上、極めて優れている。
【００１７】
ドア１の材料として、様々なアルミ合金を利用することができるが、Aｌ-Mg系のアルミ合金（特にJISのA５０５２）は、耐食性、成形性などに優れており、加工や工作に向いたものであるため、好ましい材料の一つである。ドア１の製作にあたっては、ヤマザキマザックＦＪＶ６０/８０を工作機械として使用することができ、デザインをＰＤＦに取り込んでＣＡＤでプログラム作成し、ドア1を製作することができる。なお、ドア１の表面処理としては、様々なものが可能であるが、例えば、無電解ニッケルメッキをしてもよい。
【００１８】
本発明に係るドア１は、引き戸としても、開き戸としても利用することができ、キャスター、蝶番、ドアクローザーなど既存の部品を装着することができる。また、自動ドアとして各種装置を取り付けて利用することができるのは勿論のことである。
【００１９】
[実施形態２]
図３（１）〜（３）は、本発明のドア１の実施形態２を示す。実施形態２では、平面充填部２１、２２、２３、２４により、文字、図形等を表している。文字、図形等を表す方法としては、例えば、図３（１）に示すように、文字３２０（Ｌの英文字）自体を平面充填部２１とし、平面充填部２１の周囲を装飾部３００とすることにより、文字、図形等を明確に表すこともできる。図３（１）では、ハニカム構造でＬの字を表しているが、多角形を平面充填した形状であれば、どのようなものであってもよい。このような構成とする事により、平面充填部２１としてドア１の軽量化を図るとともにドア１の装飾をすることができる。文字や図形が多い場合に特に優れたものである。
【００２０】
また、別の文字等を表す方法としては、例えば、図３（２）に示すように、装飾部３０１を文字３２１（Ｌの英文字）の形状とし、周囲を平面充填部２２とすることにより表すことができる。どのような文字、図形等であってもよい点は、図３（１）と同様である。このような構成とする事により、平面充填部２２としてドア１の軽量化を図るとともにドア１の装飾をすることができる。この方法は、文字等の量が少ない場合には、特にドア１の軽量化に優れたものである。
【００２１】
また、更に別の文字等を表す方法としては、例えば、図３（３）に示すように、文字３２２（Ｌの英文字）形状の平面充填部２４に使用する多角形と、文字の周囲の平面充填部２３に使用する多角形を異なる多角形とすることにより、文字等を表すことができる。
図３（３）では、Ｌの文字３２２が三角形を使用した平面充填部２４であり、Ｌの文字３２２の周囲は、六角形を使用したハニカム構造である。このような構成とする事により、平面充填部２３としてドア１の軽量化を図るとともにドア１の装飾をすることができる。この方法は、文字、図形の量に影響を受けずに軽量化を図ることができる。
【００２２】
[実施形態３]
図４（１）、（２）は、本発明のドア１の実施形態３を示し、（１）は、ドア１の正面図、（２）は、背面図である。実施形態３は、ドア１の両面に平面充填部２、平面充填部２００を設けたものであり、具体的には、平面充填部２の裏側には、平面充填部２００を設けず、装飾部３の裏側には、平面充填部２００を設けるものである。  実施形態３のドア１は、正面は、例えば、図４（１）に示すように、ハニカム構造の平面充填部２と、切株９の図形等を表した装飾部３と、框７とから構成し、ドア１の裏面は、図４（２）に示すように、ハニカム構造の平面充填部２の裏側の位置には、切株９０形状の図形と「克」の文字３３を有する装飾部３０２を形成し、切株９の図形等を表した装飾部３の裏側には、ハニカム形状の平面充填部２００を形成している。なお、平面充填部２、２００は、ハニカム形状に限らない点は、実施形態1と同様であるが、例えば、正面の平面充填部２が四角形を使用し、背面の平面充填部２００が三角形を使用して平面充填するなどのように、正面と背面で異なる多角形としてもよい。このように構成することにより、ドア１の強度の低い部分を作らずに、ドア1の両面のデザイン性を高めることができる。
【符号の説明】
【００２３】
１    ドア
２、２１、２２、２３、２４、２００    平面充填部
３、３００、３０１、３０２    装飾部
３１  年輪
３２、３３、３２０、３２１、３２２    文字
５、５１    底面
６、６１    隔壁
７    框
９、９０    切株
【図１】
2019015133.tif 000003
【図２】
2019015133.tif 000004
【図３】
2019015133.tif 000005
【図４】
2019015133.tif 000006